(57)【要約】  鼻フィルター（１）は、左及び右の鼻孔の各々内の配置のために寸法化された、任意に、Ｕ字型ブリッジ（４）を介して接続される、右及び左の枠部（２ａ、２ｂ）を有する枠（２）備える。各枠部（２ａ、２ｂ）は、鼻の正面の方の前方支持部（６ａ）及び鼻の背面の方の後方支持部（６ｂ）を備え、該支持部はフィルター要素（３）を支持する。弾性手段（８’、９’）は、前方支持部（６ａ）と後方支持部（６ｂ）との間の距離の柔軟な変化のために、前方支持部（６ａ）を後方支持部（６ｂ）と接続させる。【選択図】図２ａ
2015535716.tif 000002
【特許請求の範囲】
【請求項１】
左及び右の鼻孔の各々内の配置のために寸法化された左及び右の枠部（２ａ、２ｂ）を備える鼻フィルター（１）であって、
各枠部（２ａ、２ｂ）は、鼻フィルターが鼻に挿入されるときに鼻の正面の方に向けられるように構成された前方支持部（６ａ）備え、及び各枠部（２ａ、２ｂ）は、鼻フィルターが鼻に挿入されるときに鼻の背面の方に向けられるように構成された後方支持部（６ｂ）備え、
前方支持部（６ａ）及び後方支持部（６ｂ）はフィルター要素（３）を支持し、
各枠部（２ａ、２ｂ）は、前方支持部（６ａ）と後方支持部（６ｂ）との間の距離の柔軟な変化のために前方支持部（６ａ）を後方支持部（６ｂ）と接続する弾性手段を備える、鼻フィルター。
【請求項２】
ａ）前方支持部（６ａ）は内側セグメント（１８ａ）を有し、及び後方支持部（６ｂ）は内側セクター（１６ａ）を有し；弾性手段は、内側セグメント（１８ａ）を内側セクター（１６ａ）と柔軟に接続する内側弾性部材（９’）を備え；それによって、内側セクター（１６ａ）、内側弾性部材（９’）、及び内側セグメント（１８ａ）が組み合わさって、鼻フィルターが鼻に挿入されるときに、中隔の方に向けられるように構成される枠部（２ａ、２ｂ）の内側を形成し；内側弾性部材（９’）は、内側セグメント（１８ａ）及び内側セクター（１６ａ）の間の距離の柔軟な変化のために構成される、
又は、
ｂ）前方支持部（６ａ）は側面セグメント（１８ｂ）を有し、及び後方支持部（６ｂ）は側面セクター（１６ｂ）を有し；弾性手段は、側面セグメント（１８ｂ）を側面セクター（１６ｂ）と柔軟に接続する側面弾性部材（８’）を備え；それによって、側面セクター（１６ｂ）、第２の弾性手段（８’）、及び側面セグメント（１８ｂ）が組み合わさって、鼻フィルターが鼻に挿入されるときに、鼻の側面部の方に向けられるように構成される枠部（２ａ、２ｂ）の側面側を形成し；側面弾性部材（８’）は、側面セグメント（１８ｂ）及び側面セクター（１６ｂ）の間の距離の柔軟な変化のために構成される、
又はａ）及びｂ）の両方である、
請求項１に記載の鼻フィルター。
【請求項３】
鼻フィルターが弛緩状態にあるとき、内側弾性部材（９’）は、内側セクター（１６ａ）及び内側セグメント（１８ａ）の間の弾性接続としての内側屈曲（９）を備える、請求項２に記載の鼻フィルター。
【請求項４】
前方支持部（６ａ）はフィルター要素（３）を支持するための前方支持面を有し；及び後方支持部（６ｂ）はフィルター要素（３）を支持するための後方支持面を有し、ここで前方支持面及び後方支持面は、フィルター要素（３）の直線状又は屈曲状のフィルター支持面を規定し；フィルター要素（３）の形状は、鼻フィルター（１）が弛緩状態にあるとき、このフィルター支持面に従い；内側屈曲（９）は、鼻フィルター（１）が弛緩状態にあるとき、フィルター支持面の外側に伸びる、請求項３に記載の鼻フィルター。
【請求項５】
内側屈曲（９）は、フィルターに対して相対的に下向き又は上向きに向けられる、請求項４に記載の鼻フィルター。
【請求項６】
内側屈曲（９）は、鼻フィルター（１）が鼻の中に挿入されるときに、下向きに向けられ、かつ底部を有する、請求項５に記載の鼻フィルター。
【請求項７】
各枠部（２ａ、２ｂ）の前方支持部（６ａ）は、鼻フィルターが鼻の中に挿入されるときに、鼻の正面の方に向けられるように構成される正面の点（２１ａ、２１ｂ）を有し；及び各枠部（２ａ、２ｂ）の後方支持部（６ｂ）は、鼻フィルターが鼻の中に挿入されるときに、鼻の背面の方に向けられるように構成される最背面の点（２２ａ、２２ｂ）を有し；２つの正面の点（２１ａ、２１ｂ）及び２つの最背面の点（２２ａ、２２ｂ）が、基準面（２３）に対して垂直な法線ベクトル（２９）を備える基準面（２３）を規定し；内側屈曲（９）は基準面に対してほぼ垂直である、請求項４又は５又は６に記載の鼻フィルター。
【請求項８】
内側屈曲（９）は、基準面（２３）の法線ベクトル（２９）からプラスマイナス２０度の範囲内である、請求項７に記載の鼻フィルター。
【請求項９】
内側弾性部材（９’）は、法線ベクトル（２９）と０〜２０度の間隔の角度（ｕ）を形成する方向（２６）を有する曲率半径を備える内側屈曲（９）を有する、請求項７に記載の鼻フィルター。
【請求項１０】
内側屈曲（９）は底部を有し、かつ内側屈曲（９）の底部での曲率半径は、法線ベクトル（２９）と０〜２０度の間隔の角度を形成する方向（２６）を有する、請求項９に記載の鼻フィルター。
【請求項１１】
２つの枠部（２ａ、２ｂ）は、柔軟で、実質的にＵ字型のブリッジ（４）によって接続され、該ブリッジは、鼻の内側中隔の両側に対し１つの脚（１４）で、鼻の鼻柱を横切り、かつ軟骨に対してブリッジ（４）を固定するための、底部（１２）と、該底部（１２）から伸びる２つの脚（１４）とを備え；内側屈曲（９）は、Ｕ字型ブリッジ（４）の脚（１４）の一部である又は併合する、請求項２〜１０のいずれかに記載の鼻フィルター。
【請求項１２】
前方支持部（６ａ）は側面セグメント（１８ｂ）を有し、及び後方支持部（６ｂ）は側面セクター（１６ｂ）を有し；弾性手段は、側面セグメント（１８ｂ）を側面セクター（１６ｂ）と柔軟に接続する側面弾性部材（８’）を備え；それによって、側面セクター（１６ｂ）、第２の弾性手段（８’）、及び側面セグメント（１８ｂ）が組み合わさって、鼻フィルターが鼻に挿入されるときに、鼻の側面部の方に向けられるように構成される枠部（２ａ、２ｂ）の側面側を形成し；側面弾性部材（８’）は、側面セグメント（１８ｂ）及び側面セクター（１６ｂ）の間の距離の柔軟な変化のために構成される、先の請求項のいずれかに記載の鼻フィルター。
【請求項１３】
鼻フィルター（１）が弛緩状態にあるとき、側面弾性部材（８’）は、側面セクター（１６ｂ）及び側面セグメント（１８ｂ）の間の弾性接続としての側面屈曲（８）を備える、請求項１２に記載の鼻フィルター。
【請求項１４】
前方支持部（６ａ）はフィルター要素（３）を支持するための前方支持面を有し；及び後方支持部（６ｂ）はフィルター要素（３）を支持するための後方支持面を有し、ここで前方支持面及び後方支持面は、フィルター要素（３）の直線状又は屈曲状のフィルター支持面を規定し；フィルター要素（３）の形状は、鼻フィルター（１）が弛緩状態にあるとき、このフィルター支持面に従い；側面屈曲（８）は、鼻フィルター（１）が弛緩状態にあるとき、フィルター支持面の外側に伸びる、請求項１３に記載の鼻フィルター。
【請求項１５】
側面屈曲（８）は、フィルターに対して相対的に下向き又は上向きに向けられる、請求項１４に記載の鼻フィルター。
【請求項１６】
側面屈曲（８）は、鼻フィルター（１）が鼻の中に挿入されるときに、下向きに向けられ、かつ底部を有する、請求項１５に記載の鼻フィルター。
【請求項１７】
各枠部（２ａ、２ｂ）の前方支持部（６ａ）は、鼻フィルターが鼻の中に挿入されるときに、鼻の正面の方に向けられるように構成される正面の点（２１ａ、２１ｂ）を有し；及び各枠部（２ａ、２ｂ）の後方支持部（６ｂ）は、鼻フィルターが鼻の中に挿入されるときに、鼻の背面の方に向けられるように構成される最背面の点（２２ａ、２２ｂ）を有し；２つの正面の点（２１ａ、２１ｂ）及び２つの最背面の点（２２ａ、２２ｂ）が、基準面（２３）に対して垂直な法線ベクトル（２９）を備える基準面（２３）を規定し；側面屈曲（８）は、基準面（２３）の法線ベクトル（２９）からプラスマイナス４５度の範囲内である、請求項１４又は１５又は１６に記載の鼻フィルター。
【請求項１８】
側面屈曲（８）は、法線ベクトル（２９）と０〜４５度の間隔の角度を形成する方向を有する曲率半径（２７）を有する、請求項１７に記載の鼻フィルター。
【請求項１９】
側面屈曲（８）は底部を有し、かつ側面屈曲（８）の底部での曲率半径（２７）は、法線ベクトル（２９）と０〜４５度の間隔の角度（Ｖ）を形成する方向（１１）を有する、請求項１８に記載の鼻フィルター。
【請求項２０】
前方支持部（６ａ）は側面セグメント（１８ｂ）を備え、及び後方支持部（６ｂ）は側面セクター（１６ｂ）を備え、側面セグメント（１８ｂ）及び側面セクター（１６ｂ）の両方が、鼻孔の側面内壁に対して配置されるように構成され、ここで、側面セグメント（１８ｂ）及び側面セクター（１６ｂ）は、側面セグメント（１８ｂ）及び側面セクター（１６ｂ）の間の隙間（１７）によって接続を断たれている、請求項１〜１１のいずれかに記載の鼻フィルター。
【請求項２１】
フィラメント要素（３）は、前方及び後方の支持部（６ａ、６ｂ）にまたがる面積よりも３％〜３０％大きく寸法化され、それによるフィルター要素（３）は、フィルター要素（３）を鼻孔の内壁に接触させ、かつ締め付けるために、またがる面積の外側に伸びる、先の請求項のいずれかに記載の鼻フィルター。
【請求項２２】
前方支持部（６ａ）は、鼻フィルターが鼻の中に挿入されるときに、鼻の正面の方に向けられるように構成される正面の点（２１ａ、２１ｂ）を有し；及び後方支持部（６ｂ）は、鼻フィルターが鼻の中に挿入されるときに、鼻の背面の方に向けられるように構成される最背面の点（２２ａ、２２ｂ）を有し；前方支持部（６ａ）は、フィルター要素（３）を支持するための前方支持面（６ａ’）を有し；及び後方支持部（６ｂ）は、フィルター要素（３）を支持するための後方支持面（６ｂ’）を有し、屈曲状態でフィルター要素（３）を支持するために、最背面の点（２２ａ、２２ｂ）から正面の点（２１ａ、２１ｂ）の曲線に沿って角度を測定したときに、前方支持面（６ａ’）が、後方支持面（６ｂ’）に対して相対的に５〜４０度の間隔の角度で曲げられる、先の請求項のいずれかに記載の鼻フィルター。
【請求項２３】
各枠部（２ａ、２ｂ）の前方支持部（６ａ）は、鼻フィルターが鼻の中に挿入されるときに、鼻の正面の方に向けられるように構成される正面の点（２１ａ、２１ｂ）を有し；及び各枠部（２ａ、２ｂ）の後方支持部（６ｂ）は、鼻フィルターが鼻の中に挿入されるときに、鼻の背面の方に向けられるように構成される最背面の点（２２ａ、２２ｂ）を有し；２つの正面の点（２１ａ、２１ｂ）及び２つの最背面の点（２２ａ、２２ｂ）が、基準面（２３）に対して垂直な法線ベクトル（２９）を備える基準面（２３）を規定し；後方支持部（６ｂ）は、内側セクター（１６ａ）及び側面セクター（１６ｂ）を有し、ここで、鼻フィルターが鼻の中に挿入されるときに、内側セクター（１６ａ）は中隔又はその近くであり、かつ側面セクター（１６ｂ）は鼻孔の側面壁又はその近くであり；後方支持部（６ｂ）は、内側セクター（１６ａ）から側面セクター（１６ｂ）の方向において下向き又は上向きの傾斜を有し；下向き又は上向きの傾斜は、法線ベクトル（２９）と４５〜８５度の間隔の角度を形成する、先の請求項のいずれかに記載の鼻フィルター。
【請求項２４】
フィルター要素（３）は実質的に平面である、先の請求項のいずれかに記載の鼻フィルター。
【発明の詳細な説明】
【技術分野】
【０００１】
本発明は、フィルター、例えば、平面的なフィルターが取り付けられる枠を備えるタイプの鼻フィルターに関する。特に、それは、例えば、Ｕ字型ブリッジを介して接続される、右及び左の鼻孔内部の配置のために寸法化された右及び左の枠部を有する枠を備える鼻フィルターに関する。
【背景技術】
【０００２】
吸入される空気のフィルターリングは、ヒトの前方の鼻腔及び上気道の主要な機能の１つである。自然のろ過機構は、下気道中に又は最終的に気管支中に堆積される粒子に対する保護手段として機能する。
【０００３】
しかしながら、粒子の自然のろ過（特に、１０ミクロンを超える粒子は鼻の粘膜に堆積される）は、いくらかの個体がこれらの粒子に対するアレルギー反応を発現させるように、該個体にとって、極度の厄介者になり得る。呼吸しながら、不要な粒子に対してヒトを保護するために、種々のフィルターが開発されてきており、この選択が以下に記載される。
【０００４】
用語上の理由のために、左及び右の鼻孔間の鼻の垂直な中央の壁は、典型的には、鼻の内壁又は中隔と呼ばれ、鼻柱と呼ばれる鼻の低い端で終了することに留意されるべきである。鼻孔は、中隔及び外側の鼻翼である側面部によって主に区切られ、鼻の先端の中隔の端から頭部骨格に近い中隔の後端に曲がる。鼻の先端に向かって順方向が前方と呼ばれ、頭蓋骨に向かって鼻の奥が後方と呼ばれる。
【０００５】
個人用エアフィルター装置は２つの主なカテゴリー（口と鼻との両方を覆う顔に用いるマスク、及び単に鼻を覆う鼻フィルター）に分けることができる。鼻フィルターは、外部に配置される鼻フィルター及び内部に配置される鼻フィルターにさらに分けることができる。
【０００６】
多くの鼻フィルターは、各鼻孔に対して１つのフィルターユニットを有し、該フィルターユニットは、鼻の鼻柱の周りに取り付け、鼻孔内に配置されるフィルターユニットを支えるＵ字型で柔軟なブリッジを介して接続される。フィルターユニットは、しばしば長手方向及び横方向に伸長され、鼻に挿入される場合、フィルターの長手方向は、鼻の先端の鼻孔の前方部から頭蓋骨近くの鼻孔の後方部まで伸び、横方向は鼻の中隔から鼻の側面部まで伸びる。
【０００７】
既存の内部に配置される鼻フィルターは、円錐状の装置及び平坦なフィルター装置に広く分類され得る。前者の利点は、例えば、米国特許又は特許出願のＵＳ７７４８３８３、ＵＳ２００７／０１９３２３３及びＵＳ２００５／０２０５０９５に開示されるように、柔軟性、安定した位置決め、ろ過のためのより大きな表面積及び快適さのレベルであると論じられている。後者の利点は、最小限の可視性、侵襲性及び使用の増大した快適さであると論じられている。
【０００８】
実質的に平坦なフィルタータイプの装置は、カナダ特許出願のＣＡ２６５８９９４０、英国特許出願のＧＢ２２８９８４６、米国特許及び出願のＵＳ２０４６６６４、ＵＳ２２８２６８、ＵＳ５３９２７７３、ＵＳ７１５６０９９、ＵＳ２００７／０２８３９６３、ＵＳ２００８／００８７２８６、ＵＳ２０１２／０１１１３３４、及び国際特許出願のＷＯ２００５／１２０６４５、ＷＯ２００９／０９７５５３、及びＷＯ２０１１／０４１９２１に開示される。
【０００９】
内部鼻フィルターを、上手く機能させ、日常生活におけるユーザーにとって許容でき、魅力的であるために、それはいくつかの基本的な目的を実現させなければならない。それは人目につかないようにしなければならず、それは呼吸しながら抵抗の急激な増加なしに適当な空気の移動を許容しなければならず、それは取り除くように要求されているものを取り除かなければならず、それは種々の鼻のサイズ及び形状に適合し得るようにしなければならず、それは全ての吸入される空気がろ過機構を通過するように、鼻腔の湾曲に実質的に従わなければならず、最後に、それは着け心地がよくなければならない。
【００１０】
円錐状構造の主な欠点は、鼻腔内に配置されなければならない材料の一般的にごく薄い嵩である。これは、フィルターの可視性を増大させ、空気の流れのための利用可能なスペースを低下させるので、抵抗を増大させ、かつ、ユーザーを不快に感じさせるので、適合性を低下させる。
【００１１】
平坦な鼻フィルターの主な欠点は、一般的に、柔軟性と適応性の欠如であり、鼻の動き及び呼吸の間のぐらつく傾向であり、これは吸入される空気に対する抜け穴を残し、かつ、特に鼻に触れた場合、痛みをもたらす腔内の横断的な配置である。
【００１２】
円錐状の鼻フィルター及び平坦なフィルターの両方は、１つ及び２つ又はそれよりも多くの成分溶液中で作製されており、ここで、より多くの成分を導入するための基本的な議論は、交換可能な成分を有するという考えである。これらのシステムの最も基本的な欠点は、材料が鼻腔内であまりにも多くの空間を占めるために生じる、空気の流れに対して増大する抵抗である。
【００１３】
前述した一般的な欠点の全てが、基本目標のすべてに到達した場合に予期され得るものよりも潜在的ユーザーの間でより低い適応性をもたらしている。
【００１４】
欧州特許ＥＰ２０８９１１５Ｂ１は、鼻の軟骨の下縁部の周りにクリップとして機能する柔軟なＵ字型ブリッジに接続される楕円形の支持体上のリュネット型のフィルターリング部品を備える内部の鼻フィルターを記載する。柔軟なＵ字型要素（ここからはシャンクと呼ぶ）の端部は、柔軟なＵ字型要素に対して垂直に実質的に配置される。これは、濾過の視点から理にかなう、空気の流れに対して直交するシャンク及びフィルターをもたらす。しかしながら、それはまた、シャンクが最初の空気流中に配置されるので、呼吸困難をもたらすような増大した抵抗をもたらす。さらに、シャンクが配置される角度とその硬さは、鼻に触れるか鼻を動かすときに、不快感をもたらす。ＥＰ２０８９１１５Ｂ１は、異なる鼻のサイズ及びバリエーションを調整するために、より柔軟なフィルターリング部品を使用する考えを利用するが、そのシャンクの実施形態は、内部剛性なしにフィルターリング部品を支持する能力を欠いている。これは、フィルターリング部品の必要な硬い構造特性及び鼻管への垂直な角度のために不快感をもたらす。それはまた、ろ過されない空気が吸入される、鼻腔の湾曲に沿った隙間をもたらす。
【００１５】
したがって、当該技術の改良を提供することが望ましい。
【発明の概要】
【発明が解決しようとする課題】
【００１６】
上述した目的を達成すること、並びに従来技術、特に円錐状と平坦なフィルターの一般的な欠点、及び上述した具体的な欠点を克服することが本発明の目的である。特に、それは効率的で着け心地のよい鼻フィルターを提供することが目的である。
【課題を解決するための手段】
【００１７】
この目的は、以下による鼻フィルターによって達成される。
【００１８】
鼻フィルターは、右及び左の鼻孔の各々内の配置のために寸法化された右及び左の枠部を有する枠を備える。各枠部は、鼻フィルターが鼻に挿入されるときに、鼻の正面の方に向けられるように構成された前方支持部を備える。また、各枠部は、鼻フィルターが鼻に挿入されるときに、鼻の背面の方に向けられるように構成された後方支持部を備える。前方支持部及び後方支持部は、フィルター要素、例えば、実質的に平坦なフィルター要素を支持する。
【００１９】
各枠部は、前方支持部と後方支持部との間の距離の柔軟な変化のために、前方支持部を後方支持部と接続する弾性手段を備える。
【００２０】
以下において、用語「弛緩状態」とは、記載される形状が、鼻フィルターに対して固有のものであることを示すのに使用され、これは、フィルターがフィルターを変形させる力を発揮させない場合に、該形状が存在するということを意味する。例えば、鼻フィルターの一部としての屈曲部は、フィルターに及ぼされる力による変形なしに存在することを意味する。以下に記載の形状は、フィルターの固有の特徴である全てが意図される。
【００２１】
例えば、これは、フィルター要素の周囲の円形枠が、円形枠の反対側部分の間の屈曲部を有するハート状の形状に手動力によって変形される、前述のＧＢ２２８９８４６の開示とは対照的である。
【００２２】
以下において、用語「上向き」及び「下向き」とはまた、原則として、鼻フィルターが、鼻に挿入される前、及びさらに後で全ての方向を有し得るという事実にもかかわらず、使用されるだろう。しかしながら、それにもかかわらず、それは、一般的に理解される考え方の「上向き」又は「下向き」という用語を使用するための正当かつ適切な簡易さのようにみえる。用語「下向き」及び「フィルター要素の下に」とは、フィルター要素から離れ、かつ鼻柱に近づく鼻フィルターの部分の方の方向に用いられるのに対し、用語「上向き」及び「フィルター要素の上に」とは、その反対の方向に対して使用されるだろう。
【００２３】
用語「前方」又は「後方」とは、鼻孔の前方又は後方部分に配置されるように構成される部分に使用される。用語「内側」及び「側面」とは、鼻の内側部分又は側面部分の各々に向けられる鼻フィルターの部分に使用される。
【００２４】
用語「曲率半径」とは、曲線上の点における偏り（offset）を有し、その点における曲線の屈曲部を近似する円の半径に等しい長さを有し、及びその点でのこのような半径の方向を有するベクトルとして以下で使用される。
【００２５】
このような鼻フィルターの利点は、鼻に挿入したときに、快適で効率的な配置と鼻フィルターの調整である。前方及び後方の支持部が弾性的に接続されるので、鼻に挿入したときに、例えば、追加的な横方向の弾性的な動作及びねじりによって、枠部分は容易に縮みかつ順応することができ、これは、フィット性及びユーザーの快適性のために有利である。また、柔軟なポリマー材料、例えば、シリコーン又は熱可塑性エラストマーで鼻フィルターを製造する際に、枠は鼻の種々の形状及びサイズに快適にフィットする。
【００２６】
必要に応じ、２つの枠部分は、鼻の鼻柱を横切り、かつ鼻の内側中隔の両側の軟骨に対するブリッジの弾性締結のために、柔軟なブリッジ、例えば、実質的にＵ字型のブリッジによって接続される。オプションとして、枠は主に、２つの概ねリュネット型の枠部分を備えるＵ字型ブリッジに似ている。透明ポリマー、例えば、シリコーン又は熱可塑性エラストマーで製造された場合、Ｕ字型ブリッジは、ユーザーがこのようなフィルターを装着するときに、他の人々にはほとんど見えない。
【００２７】
前方支持部は、内側セグメントと側面セグメントを有し、ここで、鼻フィルターを鼻に挿入する場合に、内側セグメントは、中隔又はその近くであり、かつ側面セグメントは、鼻孔の側面壁又はその近くである。後方支持部は、内側セクターと側面セクターを有し、ここで、鼻フィルターを鼻に挿入する場合に、内側セクターは、中隔又はその近くであり、側面セクターは、鼻孔の側面壁又はその近くである。
【００２８】
有利には、弾性手段は、内側セグメントを内側セクターに柔軟に接続する内側弾性部材を備える。このように、内側セクター、内側弾性部材及び内側セグメントが組み合わさって、枠部の内側を形成する。内側は、鼻フィルターを鼻に挿入する場合に、中隔の方に向けられるように構成される枠部の部分である。内側弾性部材は、内側セグメントと内側セクターとの間の距離の柔軟な変化のために構成される。
【００２９】
あるいは、又は加えて、弾性手段は、側面セグメントを側面セクターに柔軟に接続する側面弾性部材を備える。このように、側面セクター、第２の弾性手段、及び側面セグメントが組み合わさって、枠部の側面側を形成する。側面は、鼻フィルターを鼻に挿入する場合に、鼻の側面部の方に向けられるように構成される枠部の部分である。側面弾性部材は、側面セグメントと側面セクターとの間の距離の柔軟な変化のために構成される。
【００３０】
いくつかの実施形態において、弾性手段は有形の曲がり又は螺旋を含み、これは、実施例の非網羅的なリストである。
【００３１】
前方支持部は、フィルター要素を支持するための前方支持面を有し、及び後方支持部は、フィルター要素を支持するための後方支持面を有する。フィルター要素に関し、前方支持面及び後方支持面は、フィルター要素に対するフィルター支持平面を規定する。鼻フィルターが弛緩状態にあり、それに対する力、例えば、鼻フィルターを鼻に挿入する過程であるときに指によって発揮される力を発揮することによって変形しない場合、フィルター要素は、このフィルター支持面の形状に従うだろう。このような面は、弾性手段の弛緩状態において直線状又は屈曲状であることが可能であり、該屈曲は一般的には凸面であるが、凹面又は凸面であるためにどちらの方向においても屈曲が可能である。
【００３２】
例えば、前方支持面は、屈曲状態のフィルター要素を支持するために、後方支持部の最背面の点から前方支持部の正面の点までの線に沿った後方支持面に対して相対的に５〜４０度曲げられる。後方から前方へ曲がる、屈曲状態のフィルター要素を配置することにより、鼻フィルターは、より柔軟であり、かつフィルターと鼻孔の内壁との間のより良好な気密性をもって鼻の内側に調整し易い。
【００３３】
基準面は次のように枠に対して規定され得る。各枠部の前方支持部は、鼻フィルターが鼻に挿入されるときに、鼻の正面の方に向けられるように設定される正面の点を有し、及び各枠部の後方支持部は、鼻フィルターが鼻に挿入されるときに、鼻の背面の方に向けられるように設定される最背面の点を有し、対称性のために、これらの２つの正面の点と２つの最背面の点は共通して基準面を規定する。この基準面はまた、基準面に垂直な法線ベクトルによって独自に規定される。
【００３４】
具体的な実施形態において、内側弾性部材は、内側セクターと内側セグメントとの間の弾性接続を提供するための内側屈曲を備える。この屈曲は、鼻フィルターが弛緩状態にあるときに存在する。有利には、この内側屈曲は、フィルター支持面の外側に伸びる。例えば、内側屈曲は、鼻フィルターが鼻に挿入される場合に、実質的に下向きに向けられ、底部を有する。屈曲の底部は、基準面に対して最大の距離を有する屈曲内のその位置として規定され得る。例えば、内側屈曲は、基準面に対してほぼ垂直、例えば、基準面の法線からプラスマイナス２０度の範囲内に伸びる。例えば、内側屈曲は、法線ベクトルと０〜２０度の角度を形成する方向を有する曲率半径（例えば、内側屈曲の底部での曲率半径）を有する。屈曲の曲率半径の方向が法線ベクトルの方向の２０度以内であるという事実は、弾性部材がかなり複雑に形成され得るように、全ての内側弾性部材、というよりはむしろ全ての内側屈曲が、この角度領域内の曲率半径のみを有し、また、支持部に伸び、かつ支持部に接続されるだろうことを必ずしも意味しない。しかしながら、内側屈曲は、少なくとも１つの曲率半径、例えば、内側屈曲の底部での曲率半径を有し、この角度領域内の方向を有するだろう。例えば、屈曲の底部での曲率半径の方向は、基準平面に対しほぼ垂直であり、ここで、ほぼ垂直という用語は、法線ベクトルと２０度以内、例えば、法線ベクトルと１０又は５度以内を意味する。例えば、内側屈曲のこの実質的に垂直な配置は、内側屈曲が前方及び後方の支持部との間の中間のばねとして作用するという点で有利である。例えば、内側が２つの枠部との間の対称面に対して平面及び平行であるならば、角度はこの対称面から測定される。
【００３５】
あるいはまた、内側屈曲は、上向きに向けられるだろうし、又は下向きの屈曲及び上向きの屈曲の組み合わせである。
【００３６】
鼻フィルターが、Ｕ字型ブリッジと共に提供される場合、内側屈曲は、Ｕ字型ブリッジの脚部の一部になり得るか又は併合し得る。
【００３７】
例えば、側面弾性部材は、側面セクターと側面セグメントとの間の弾性接続を提供するための側面屈曲を有する。この屈曲は、鼻フィルターが弛緩状態にあるときに存在する。有利には、この側面屈曲は、フィルター支持面の外側に延びる。例えば、側面屈曲は、鼻フィルターが鼻に挿入されるとき、実質的に下向きに向けられ、底部を有する。屈曲の底部は、基準面に対して最大の距離を有する屈曲内のその位置として規定され得る。例えば、側面屈曲は、基準面の法線からプラスマイナス４５度以内である。例えば、それは、基準面の法線と４５度以内の方向を有する曲率半径（例えば、側面屈曲の底部での曲率半径）を有する。屈曲の曲率半径の方向が法線と４５度以内であるという事実は、弾性部材がかなり複雑に形成され得るように、全ての側面弾性部材が、この角度領域内の曲率半径のみを有するということを必ずしも意味しない。しかしながら、側面屈曲は、この角度領域内の方向を有する、少なくとも１つの曲率半径、例えば、側面屈曲の底部での曲率半径を有するだろう。したがって、側面上の側面屈曲は、必ずしも厳密に下向きに向けられていない。それは、例えば、鼻孔の側面の方に向かって外側に曲がっていてもよい。これは、鼻の側面に対するフィルター要素のより良好な気密性のために有利であり得る。側面屈曲は、前方及び後方の支持部との間の側面のばねとして作用する。
【００３８】
さらなる代替として、側面屈曲は、上向きに向けられる又は下向きの屈曲及び上向きの屈曲の組み合わせであり、任意に、同じ角度間隔内である。
【００３９】
いくつかの実施形態において、枠部分は、鼻の内壁の１つ又はそれよりも多くに触れるように構成され、任意に、鼻孔の内壁に対して締め付けるために内壁に沿って伸びる。しかしながら、いくつかの実施形態において、枠部分は鼻孔の内壁に接触しないが、枠が鼻孔の内壁に接触するフィルター要素を支持する。この場合、フィルター要素は、フィルター要素がまたがる面積（spanned area）の外側に伸びるように、前方及び後方の支持部にまたがる面積よりも大きく寸法化される。
【００４０】
いくつかの実施形態において、後方支持部は、内側セクターから側面セクターへの方向において下向きの傾斜を有し、ここで、下向きの傾斜は、基準面の法線に対して４５〜８５度の角度を形成する。例えば、下向きの傾斜は、右及び左の枠部間の対称面に対して平行な面と５〜４５度の角度を形成する。
【００４１】
フィルター要素に関し、様々なオプションが与えられる。例えば、１層又は複数層の織又は不織材料；発泡材料；プリーツフィルター材料；多孔質膜材料；穿孔材料（perforates materials）；一定又は変動するメッシュサイズを有する材料；変動する直径を有する材料；単一層又は多層；各メッシュは一定のメッシュサイズを有するが、種々の層は互いに異なるメッシュサイズを有するメッシュの多層；変動するメッシュサイズを有する各層を有する多層；平面フィルター；波型フィルター；特に、柔軟なフィルター。典型的には、フィルター要素に対してポリマー材料が好ましい。有用なフィルター材料は、ポリマーの不織布、例えば、スパンボンド不織布において見出されている。有用な材料は、以下でより詳細に説明される。
【００４２】
例えば、大抵の花粉の直径に相当する、１５ミクロンよりも大きい粒子を除去するために、具体的な材料が有用であると見出されている。有用な材料は、水平面内でランダムに分布し、相互の最上部に連続的に堆積されるポリマー繊維から作られ、０．０５ｍｍから１ｍｍ、有利には０．０７〜０．２ｍｍの厚さを有する構造を構築する。繊維の直径は１５〜３０ミクロンであり、該繊維は単一径の繊維と見なされている。積み重ねられる繊維の数はランダムな分布のために大きく変化すると指摘されるが、材料は、高さ方向に積み重なれる平均５〜１８本の繊維を含む。水平面内のレベルである、２つの繊維間の距離は、主に０．０５〜０．４ｍｍである。材料の全体的なメッシュサイズは、同一の水平面内の個々の繊維間距離及び個々の繊維を超える及び劣るレベルにおける繊維のランダム分布に応じて大きく変わる。一般的に、平均メッシュサイズは、材料がろ過される粒子の直径よりも大きい。材料の重量は、有利には、５〜４０ｇ／ｍ２である。
【００４３】
メッシュサイズが埃粒子よりも非常に大きく、かつ多くの種類の花粉よりも大きいことは周知であるが、驚くべきことに、このようなフィルター材料は、鼻を介する空気のろ過に対して非常に効率的であることが見出された。その理由は、フィルター材料が、空気の流れを篩分けすること（ここで、特定のメッシュサイズよりも大きい粒子は阻止される）によって作用するだけではなく、フィルター材料が、吸着（ここで、粒子はメッシュのサイズよりも小さいにもかかわらず繊維に吸着される）によっても機能するということである。フィルター材料の多層配置のため、空気はフィルター材料を横断する間、乱流を作り出し、これは、粒子の繊維への吸着を促進する。
【００４４】
第１及び第２の具体的な値の間の値に与えられる間隔に関する「間に」という用語は、間隔の端点も含むものとして理解されなければならない。
【図面の簡単な説明】
【００４５】
本発明を、図面を参照してより詳細に説明する。
【図１】図１は、異なるサイズの３つの鼻フィルターの写真である。
【図２】図２は、ａ）斜め透視図、ｂ）正面図、ｃ）側面図及びｄ）背面図における、鼻フィルターの枠の三次元図を図示する。
【図３】図３は、ａ）側面図及びｂ）上面図におけるフィルター要素を備える１つの枠部を図示する。
【図４】図４は、枠の第１の代替実施形態を図示する。
【図５】図５は、第２の代替実施形態を図示する。
【図６】図６は、３つの異なるサイズの枠の積層図である。
【図７】図７は幾何学的な用語を説明するための基準面を有する図２ａと同一の枠を図示する。
【図８】図８は、上向きの側面屈曲及び下向きの内側屈曲を有する単一の枠部を示す代替実施形態を図示する。
【発明を実施するための形態】
【００４６】
図１は、種々のサイズの鼻フィルター１におけるいくつかの試作品の写真を示し、鼻フィルターは、枠２及び枠２に取り付けられたフィルター要素３を有する。
【００４７】
図２ａは、鼻フィルターの枠２の一実施形態の透視図である。枠２は、左枠部２ａ及び右枠部２ｂの内側を接続するＵ字型ブリッジ４を備える。ブリッジ４は、鼻の鼻柱の周りの、クリップとして、又はクリップの一部として機能する。
【００４８】
図２ｂ、図２ｃ、及び２ｄは、図２ａと同一枠の異なる透視図であり、すなわち、各々、正面、側面及び背面からの図である。
【００４９】
枠部２ａ、２ｂの各々は、支持部６と、ブリッジ４を支持部６と接続するコネクタ７とを備える。支持部６は、フィルター要素３を支持する枠２の部分である。ブリッジ４は、鼻の鼻柱の周りのクリップとして機能し、又はコネクタ７と組み合わさるブリッジ４は、鼻の鼻柱の周りのクリップとして機能する。ブリッジ４及びコネクタ７は、中隔の軟骨の周りに取り付ける枠２の部分であり、かつ、立っている人に使用する場合は、鼻の中隔に沿って上向き及び内方に伸びる。支持部６は、鼻孔を横切って伸びるフィルター要素３を支持するように配置される。典型的には、支持部６は、フィルター要素３を支持するために、鼻孔に沿って伸びるか、又は鼻孔の壁に沿って鼻孔を取り囲む。支持部６はフィルター要素に対する平面、実際には、凸面、屈曲面を規定する。あるいはまた、平面は、直線状であるか又は凹面状に曲がり得る。図１の実施形態に関し、支持部６にまたがる面積は、鼻フィルター１の使用中、支持部６が鼻孔の内壁に必ずしも接触する必要はないが、鼻フィルターが適切に使用される場合には、鼻の内壁に触れるように、フィルター要素３の面積よりも小さくなるように設計されていることが理解される。フィルター材料が支持部６の外側に伸びるという事実は、厳密には必須ではないが、通常はより満足する。
【００５０】
使用中、フィルター１は、立っている人に使用される場合、典型的な方向を有するので、人が横たわっているか、逆さ吊りされ得るという事実にもかかわらず、上部及び下部を有する人の鼻を説明するのが慣例でもあるように、フィルター部品の相対的な配置によって不明確さを導入することなく、該配置に対して「上向き」及び「下向き」、「上」と「下」という用語を使用することが適切である。用語「前方」又は「後方」とは、鼻孔の前方又は後方部分の方に配置されるように構成される部分のために使用される。用語「内側」及び「側面」とは、鼻の内側部又は側面部の各々に向けられる鼻フィルターの部分のために使用される。
【００５１】
支持部６は、鼻孔の前方部でフィルター要素３を支持する前方支持部６ａを備え、かつ支持部６は、鼻孔の後方部でフィルター要素３を支持する後方支持部６ｂを有する。前方支持部６ａは、異なる鼻に適応し、かつ、以下でより詳細に説明される弾性手段のために柔軟であることによって、その正確な位置に装置をガイドする。
【００５２】
以下において、基準面２３は、図７で図示されるようなものを指す。基準平面２３は、前方支持部６ａの２つの正面の点２１ａ、２１ｂ、及び後方支持部６ｂの２つの最も後方の点２２ａ、２２ｂによって規定される。鼻は異なる、及び下向きに立っている人に対して垂直下向きを必ずしも意味しないと指摘されるが、用語「下向きの方向」は、基準面２３に対して垂直な方向に使用され、かつ、鼻フィルターを使用する場合、通常は立っている人の鼻の入り口の方であることが意図される。用語「上向き」はその反対方向として使用される。基準面２３に対して垂直な方向は、基準面２３の法線ベクトル２９によって規定され、該法線ベクトル２９は空間における基準面２３の方向を規定する。
【００５３】
図３Ｂに図示されるように、前方支持部６ａは、内側セグメント１８ａと側面セグメント１８ｂとを備え、ここで、鼻フィルターが鼻に挿入される場合に、内側セグメント１８ａは、中隔又はその近くであり、かつ、側面セグメント１８ｂは、鼻孔の側面壁の近くである。後方支持部６ｂは、内側セクター１６ａと側面セクター１６ｂとを有し、ここで、内側セクター１６ａは、鼻フィルターが鼻に挿入される場合に、中隔又はその近くであり、かつ、側面セクター１６ｂは、鼻孔の側面壁の近くである。
【００５４】
図２ａに関し、前方支持部６ａ及び後方支持部６ｂの間に、側面弾性部材８’が提供され、枠部２ａ、２ｂの側面の一部としての側面屈曲８を備える。図３ｂで最もよく見られるように、側面屈曲８を有する側面弾性部材８’は、側面セグメント１８ｂ及び側面セクター１６ｂとの間の距離の柔軟な変化に対して構成される。示される実施形態において、側面屈曲８が、側面セグメント１８ｂを側面セクター１６ｂと接続する。
【００５５】
また、前方支持部６ａ及び後方支持部６ｂの間に、内側弾性部材９’が提供され、枠部２ａ、２ｂの内側の一部としての内側屈曲９を備える。図３ｂで最もよく見られるように、内側屈曲９を有する内側弾性部材９’は、内側セグメント１８ａ及び内側セクター１６ａとの間の距離の柔軟な変化に対して構成される。示される実施形態において、内側屈曲９が、内側セグメント１８ａを内側セクター１６ａと接続する。
【００５６】
図２ａに関し、側面屈曲８が、枠部２ａ、２ｂの側面上の前方支持部６ａ及び後方支持部６ｂを接続する。同様に、内側屈曲９が、枠部２ａ、２ｂの内側上の前方支持部６ａ及び後方支持部６ｂを接続する。示される図において、内部屈曲９がコネクタ７の一部であるように見える。屈曲８、９は、ＧＢ２２８９８４６に開示されるような閉じた環によって形成されるであろう支持部と比較して支持部６に高い柔軟性を与える。
【００５７】
図示される側面屈曲８の凹面は主に円形に形作られるが、この規則性は必要ではない。内側屈曲９の図示される凹面は、丸みを帯びた底部を有する主にＶ字状を有するが、この規則性は必要ではなく、したがって、両構造のうちのベストなものを利用するために、平坦構造のミニマリズムと組み合わせた安定性の観点から円錐状構造の利点に似ている。側面屈曲８は、前方支持部６ａ及び後方支持部６ｂの間のある程度の柔軟性を提供し、かつ同時にふらつきに対する安定性を提供するのに対し、内側屈曲９は、前方支持部６ａ及び後方支持部６ｂの間のある程度の柔軟性を提供し、かつ同時に中隔に沿った安定性を提供する。
【００５８】
屈曲８及び９の両方は、支持部６に対して相対的に、かつ基準面２３に対して相対的に下向きに実質的に向けられるように示される。しかしながら、下向きの屈曲８、９はユーザーにとってより快適であると考えられているが、これらの１つ又は両方が同様に上向きに屈曲し得るように、これは厳密には必ずしも必要ではない。用語「下向き」とは、ブリッジは鼻柱の周りに曲がる、支持部６から鼻の下端に向かう方向を意味すると指摘される。図７を追加的に参照して図２ｂ及び２ｃによく図示されるように、側面屈曲の底部における曲率半径２７の方向は、基準面の法線２９との角度がＶである方向を有し、該角度Ｖは０〜４５度であり、例えば、１０〜４５度である。したがって、側面屈曲の方向は主に下向きであるが、あるいはそれは上向き又は上向きの側面屈曲及び下向きの側面屈曲の組み合わせとなり得る。一例として、前方支持部６ａと後方支持部６ｂ及び側面屈曲８’が共通の平面内にある場合、屈曲に対する全ての曲率半径は、この平面内にあるであろう。屈曲の底部での曲率半径は、９０度から基準面の法線ベクトルとこのような平面の法線ベクトルとの間の角度を引くことによって与えられる、基準面の法線との角度を有するだろう。
【００５９】
屈曲８、９は、前方支持部６ａによって鼻孔の正面部で、かつ後方支持部６ｂによって鼻孔の背部で唯一支持されるフィルター要素３をもたらす一方で、前方支持部６ａと後方支持部６ｂとの間に、フィルター要素３が支持されない領域がある。効果は、鼻内部へのフィルター要素３の良好な調整であり、鼻孔内のフィルター要素３の良好な気密性をもたらす。それは、装置の全体的な快適性を増大させ、かつ鼻腔の湾曲に沿って装置を固定するのに役立つ。これに関連して、有利には、フィルター要素３は、低い剛性を有し、かつ枠２が鼻に挿入され、及び鼻孔の形状に調整するために前方支持部６ａ及び後方支持部６ｂが互いに押される場合に、容易に曲げられる。
【００６０】
前方支持部６ａから後方支持部６ｂの方向における枠部２ａ、２ｂの柔軟性は、側面屈曲８のために、材料の剛性及びその厚みのような他のパラメータは別として、側面屈曲８の深さに依存する。深さは、図７を参照して以下のように規定される。側面屈曲８と前方支持部６ａとの間の移行部上に、最大の凸状湾曲部の第１の点８ａがあり、かつ、側面屈曲８と後方支持部６ｂとの間の移行部上に、最大の凸状湾曲部の第２の点８ｂがあり、これらの２点が線２５を規定する。側面屈曲８が一定の湾曲を備える部分を有する場合、第１の点８ａ及び第２の点８ｂは、一定の湾曲を有するアーチの中点として規定される。
【００６１】
したがって、側面屈曲８の深さは、法線ベクトル２９によって与えられる方向である、基準面２３に対して垂直な方向２９’に沿って測定したときに、線２５と側面屈曲８の最も下向きの点８ｃとの間の距離ｄとして規定される。このような距離ｄは、前方支持部の最先部の点２１ｂと後方支持部の最背面の点２２ｂとの間の距離Ｄの、少なくとも５％であり、典型的には１０％〜３０％の間である。より少ない数学的用語では、側面屈曲の深さｄは、典型的には、鼻に配置される枠部２ａ、ｂの長さＤの１０％〜３０％の間である。内側屈曲８に関し、深さは、典型的には、枠部２ａ、ｂの長さの１０％〜８０％とずっと大きい。
【００６２】
内側屈曲９及び側面屈曲８の方向は、典型的には、実質的に下向きであり、つまり、基準面２３に対してほぼ垂直である。しかしながら、側面屈曲８の方向は、ユーザーの鼻の中における鼻フィルターの良好な調整を助けるために、下向きの方向から外れてもよい。図２ｂで最もよく見られるように、本願実施形態において、側面屈曲８の斜め矢印１１によって図示されるような方向は、法線ベクトル２９のように真に下向きではなく、鼻の構造安定性をなおも維持しながら、鼻孔の正面から背面の方向だけではなく横方向も柔軟にさせる側面屈曲８が、鼻の側面部の方にわずかに曲がるという点で、鼻柱に向かって実質的に下向きというだけである。図２ｂで図示される矢印１１は、図２ｃの側面屈曲の底部における曲率半径の方向に対して図示される矢印２７と同じ方向を有すると、完全を期すために指摘される。
【００６３】
また図２ｂで最もよく見られるように、ブリッジ４は、脚１４の間の鼻の中隔の最下部を受けるために、平坦な底部１２及び脚１４を有する実質的にＵ字型である。これにより、ブリッジ４は、特に、枠が透明な材料で作られている場合、ほとんど見えない。ブリッジ４は、底部１２の近位にある脚の間の第１の幅１３ａを有し、これは、底部４の遠位にある脚１４の間の第２の幅１３ｂよりも大きい。したがって、Ｕ字型ブリッジの底部１２からの湾曲は、脚１４に沿った上向きの方向において、凹面から凸面に変わる。これは、空気の流れを妨げることなく、鼻の中及び中隔に装置を固定するのに有利である。Ｕ字型ブリッジは、運動及び呼吸の間、枠２を正しい位置で支え、正しい位置に保持するために、中隔の壁にわずかな圧力を加える。
【００６４】
図２ｃから最もよく見られるように、図３ａの側面図でより詳細に見られるように、前方支持部６ａの上面６ａ'及び後方支持部６ｂの上面６ｂ'は、相互角Ｖ'、例えば、５〜４５℃で相互に曲げられる。これは、水平面２３に対して、前方から後方に相対的に曲げられるフィルター要素３をもたらす。鼻フィルターを挿入し、それを正確な位置に配置する場合、該形状はユーザーをガイドするのに役立つ。それはまた、鼻孔の内壁に沿って鼻フィルターを正確に配置するようにユーザーを助け、それにより、鼻腔の湾曲にもかかわらず隙間を最小限にする。該特徴はまた、鼻フィルターの柔軟性を増大させ、これは、ユーザーが経験する快適さ、及び鼻孔の内壁に対するフィルター要素３の気密性のために重要である。
【００６５】
図２ｃでも図示されるように、Ｕ字型ブリッジ４の脚１４は、必ずしも直線である必要はなく、ブリッジ４の底部１２及び支持部６の間で曲がっていてもよい。この湾曲は、典型的には、左枠部２ａと右枠部２ｂとの間の対称面１５に対して平行な実質的に面１５'であり、該対称面は図２ｄに図示される。対称面１５に対して平行な面１５'における脚１４のこの湾曲は、フィルターを挿入するときのガイドとして役立ち、かつ所望の位置、例えば、ブリッジがほとんど見えないような位置に装置を位置決めするのに役立つ。例えば、屈曲９と組み合わさる脚１４は、文字Ｙのような形状に似ている。
【００６６】
また、図７と比較して図２ｂからも見えるように、Ｕ字型ブリッジ４の脚１４は、典型的には、基準面２３に対して垂直ではなく、９０度未満の小さな角度を有し、有利には、基準面２３の法線２９との角度が、０〜１０度又は１０〜２０度又は２０〜３０度、例えば、５〜１０度又は５〜２０度である。法線２９から基準面２３の約５又は１０又は１５度のこのような角度が、鼻の中の枠の良好なフィット感をもたらす。脚１４が対称面１５に対して平行な面１５'内に提供される場合、図２ｄでｕとして示されるわずかな誇張表現を用いて、角度はこの面１５'から測定される。それはこの平面１５'の両側に方向を有してもよい。
【００６７】
図３ｂは、支持部６上のフィルター３の上面図を示す。フィルター要素３が鼻孔の内壁に対して締め付けられるようにするために、フィルター要素３が、支持部６よりも鼻孔の壁の方にさらに伸びるように、フィルター要素３の側面寸法は、支持部６によってまたがる面積よりも大きい。例えば、フィルター要素は、支持部６の外側に０．５〜１．５ｍｍ伸びる。フィルター要素３のより大きなサイズは、人々の小さな鼻腔の変化に適合するように、枠２と鼻孔の内壁との間の密閉した隙間に役立ち、さらに、フィルター要素に依存して、それはクッション機構として働くので、実施形態の許容範囲及び全体の快適性も増大させる。
【００６８】
ある程度は、この原理は、最初に述べた刊行物の欧州特許ＥＰ２０８９１１５Ｂ１から知られている。しかしながら、支持部６によってまたがる面積は、フィルター要素が、有利には、支持部６によってまたがる面積よりもわずかに３％〜３０％大きいという点で、フィルター要素の面積に対して相対的に大きい一方で、ＥＰ２０８９１１５Ｂ１において、フィルター要素の面積は、１００％よりも大きい（２倍よりも大きい）。
【００６９】
図３ｂで図示されるように、後方支持部６ｂは、内側セクター１６ａと側面セクター１６ｂとを有し、ここで、内側セクター１６ａは、鼻フィルターが鼻に挿入されるときに中隔又はその近くであり、かつ側面セクター１６ｂは鼻孔の側面壁近くである。図２ｄに示されるように、後方支持部６ｂは、内側セクター１６ａから側面セクター１６ｂに向かう方向において下向きの傾斜を有する。この下向きの傾斜は、典型的には、基準面２３の法線２９に対して相対的に、４５〜８５度であり、例えば、７０〜８０度の範囲である。この傾斜は、装置の柔軟性を増加させ、かつ不快に感じさせることなしに、ユーザーが彼らの鼻に触れることができるようにする。同様に、必要に応じて、前方支持部は、快適さを増大させるために傾斜させ得る。
【００７０】
図４は、１つの可能な代替実施形態を図示し、斜め正面図からの代替の枠２を示す。枠２は、内側屈曲９のみを備え、側面屈曲は備えない。前方支持部６ａは、後方支持部６ｂの側面セクター１６ｂの後方支持部６ｂと併合する。支持部６の下向きの傾斜は、法線ベクトル２９と４５〜８５度の典型的な角度を有し、しかしながら、それは、図２ｄで示されるモデルに図示されるものよりも、内側セクター１６ａから側面セクター１６ｂの急な角度を有するとより言明される。この実施形態において、主に、内側屈曲９は、鼻孔の正面から背面の方向における枠２の柔軟性に役立つ。
【００７１】
図５は、鼻フィルターの枠２のさらなる代替実施形態の側面からの斜視図を図示する。本実施形態において、枠２は内側屈曲９を備えるが、側面屈曲は備えない。代わりに、後方支持部６ｂの側面セクター１６ｂは、前方支持部６ａに直接接続されないが、前方支持部６ａから分離されない。前方支持部６ａは、中隔の方に配置されるように構成される内側セグメント１８ａ及び鼻孔の側面内壁に対して配置されるように構成される側面セグメント１８ｂを有する。前方支持部６ａの側面セグメント１８ｂ及び後方支持部６ｂの側面セクター１６ｂは、直接的に接続されないが、内側セグメント１８ａ、内側屈曲９及び内側セクター１６ａを介して間接的に接続されるだけである。隙間１７は、前方支持部６ａの側面セグメント１８ｂ及び後方支持部６ｂの側面セクター１６ｂの間に提供される。示される実施形態において、前方支持部６ａの側面セグメント１８ｂは、第１の端部１９を有し、及び後方支持部６ｂの側面セクター１６ｂは、隙間１７の両側の第２の端部２０を有する。枠部の側面側の、前方支持部６ａ及び後方支持部６ｂの間の分離によって提供される開いた構造は、柔軟性及び枠２に対する適応性を提供する。
【００７２】
さらなる代替として、後方支持部６ｂの側面セクター１６ｂは、例えば、矢印２８の示される端点で終わるような短さとして、図示されるものよりも実質的に短くなり得るだろう。
【００７３】
内側の屈曲及び側面側の隙間を有する代わりに、これは、内側が、隙間１７を有する図示された側面側に類似して構築され、かつ側面側が、図２ａで図示されるような屈曲に非常に似た屈曲を代わりに有するという点で反転され得るだろう。
【００７４】
図６は、図形的に相互に重ね合わされる異なるサイズの一連の枠を示す。構成される画像は、これらの実施形態において、枠の形状は直接的にスケールされていないが、枠の形状がサイズに応じて調整されることを図示する。特に、後方支持部６ｂの内側セクター１６ａは、枠２のサイズに依存した異なる形状を有する。サイズを増加させるために、内側セクター１６ａは、より小さな枠に対してよりも、より大きな枠に対してより外方に相対的に曲がる。したがって、２つの枠部２ａ、２ｂの側面側の間の角度は、より小さなモデルに対してよりも、より大きなモデルに対してより大きい。
【００７５】
図８は、側面屈曲８が上向きに屈曲している実施形態を図示する一方で、内側屈曲９は下向きに屈曲している。簡略性の理由で、右枠部２ｂのみが示される。この場合、フィルター要素は、枠内にあって、枠の外側に伸びないという有利性があり得る。
【００７６】
大人の使用のための寸法の間隔に限定するものではないが、いくつかの典型的なものは以下においてミリメートル（ｍｍ）で与えられる一方で、子供用の鼻フィルターの寸法はより小さいであろうということが指摘される。寸法は、フィルターの３つのタイプ、小／中／大に対して与えられる。
・線２５から測定される側面屈曲８の深さｄ（図７参照。）：１．５〜５又は２．５〜４；
・正面の点２２ａ、２２ｂから最背面の点２１ａ、２１ｂの長さＤ（図７参照。）：１０〜１４／１２〜１６／１５〜２０又は１１〜１３／１４〜１６／１７〜２０；
・屈曲の底部から基準面２３を測定する内側屈曲９の深さＬ（図７参照。）：４〜８／５〜８／６〜９又は５〜８／６〜８／６〜９；
・Ｕ字型ブリッジ４の底部１２近くの幅１３ａ（図２ｂ参照。）：４〜６／５〜７／５〜７；
・Ｕ字型ブリッジ４の底部１２から離れた脚１４間の幅１３ｂ（図２ｂ参照。）：３〜５／４〜６／４〜６；
・図２で図示されるような枠の幅Ｗ：１４〜２１／１６〜２２／１９〜２６又は１５〜２０／１６〜２１／１９〜２２；
・図２ｂで図示されるような鼻フィルターの全体の高さＨ：８〜１４／１０〜１５／１２〜１７又は１０〜１４／１４〜１５／１４〜１６。
【００７７】
フィルター要素は、有利には、織又は不織メッシュ型フィルターである。フィルター要素３を支持要素６に取り付ける種々の方法が存在し、これらに限定されないが、接着剤、溶接、溶融、レーザー技術及び鋳造を含む。
【図１】
2015535716.tif 000003
【図２ａ】
2015535716.tif 000004
【図２ｂ】
2015535716.tif 000005
【図２ｃ】
2015535716.tif 000006
【図２ｄ】
2015535716.tif 000007
【図３ａ】
2015535716.tif 000008
【図３ｂ】
2015535716.tif 000009
【図４】
2015535716.tif 000010
【図５】
2015535716.tif 000011
【図６】
2015535716.tif 000012
【図７】
2015535716.tif 000013
【図８】
2015535716.tif 000014
【国際調査報告】
2015535716.tif 000015
2015535716.tif 000016
2015535716.tif 000017
2015535716.tif 000018